(57)【要約】【課題】  小規模建築物の階段室に設置される消火設備において、低コストで設置可能であり、通行の障害とならない消火設備を提供すると共に、建物内で火災が発生した際に階段室への延焼を防止可能な消火設備の提供。【解決手段】  螺旋状に構成された階段室１の内側の壁面６に設けられた垂直方向に延びる給水管７と、該給水管７より分岐され階段室内に消火水を散布する側壁型ヘッド５から構成される。また、階段室１以外で火災が発生した場合に、階段室１内に消火水を噴霧状に散布する噴霧散布手段が設けてある。【選択図】    図１
2006280854.tif 000002
【特許請求の範囲】
【請求項１】
階段室に設置される消火設備であり、垂直方向に設置された給水管と、該給水管より分岐され階段室内に消火水を散布する側壁型ヘッドから構成されることを特徴とする消火設備。
【請求項２】
前記給水管への給水源は、水槽および送水装置、水道設備、給水管へ続く送水口、建物上部に設けられた高架水槽のいずれかまたはこれら給水源を複数組み合わせたものであることを特徴とする請求項１記載の消火設備。
【請求項３】
前記給水管は、螺旋状に構成された階段室の内側の壁面に設置されていることを特徴とする請求項１記載の消火設備。
【請求項４】
前記側壁型ヘッドは、後方への消火水の散布も可能であることを特徴とする請求項１記載の消火設備。
【請求項５】
前記消火設備において、階段室内には側壁型ヘッドが設置されており、側壁型ヘッドは火災検出手段の作動により消火水の散布が開始されることを特徴とする請求項１記載の消火設備。
【請求項６】
前記消火設備において、階段室内には複数の側壁型ヘッドが設置されており、一つの側壁型ヘッドは火災検出手段を含んで構成され、該火災検出手段の作動によって消火水の散布が開始されると共に、他の側壁型ヘッドからの散布も開始されることを特徴とする請求項１記載の消火設備。
【請求項７】
前記消火設備において、建物内に設置された火災検出手段の作動によって、階段室内に消火水を噴霧状に散布する噴霧散布手段が設けてあることを特徴とする請求項１記載の消火設備。
【請求項８】
噴霧散布手段とは、前記給水管に並設された噴霧用給水管と、噴霧用給水管に接続され階段室内に消火水を噴霧状に散布可能なドレンチャーヘッドであることを特徴とする請求項７記載の消火設備。
【発明の詳細な説明】
【技術分野】
【０００１】
本発明は、階段室における火災を消火するための消火設備および建物内が火災になった際の延焼防止に関する消火設備である。
【背景技術】
【０００２】
建物内に設置される消火設備は、建物の規模や用途により消防法により定められており、屋内消火栓設備やスプリンクラー設備等があげられる。
【０００３】
しかし、消防法が適用されない小規模な建物においては、消火設備の設置にかかる費用が高額となること等から、消火器等しか設置されていない。
【０００４】
上記のような小規模建築物において火災が発生した場合、避難路である階段が火災により通行不能となると避難が困難となったり、さらに煙や火炎が階段室を伝って上昇し、瞬く間に火災が上層階へ拡大してしまい建物の上層階にいる人々が逃げ遅れてしまうことが危惧される。
【０００５】
階段室内の火災を消火することおよび低コストで消火装置を設置可能とすることを目的として、特許文献１に記載された発明がある。この発明は、階段室内の上部に火災感知手段と、火災感知手段が火災を感知したときに消火剤を前方に向けて放出する消火ヘッドとを設けた消火装置であり、消火ヘッドは消火剤をＬ字状に放出するものである。
【０００６】
【特許文献１】特開２００３−２８４７８７号公報  （第２−４頁  第２図）
【発明の開示】
【発明が解決しようとする課題】
【０００７】
上記の特許文献１に記載された消火装置は、階段室の踊り場に消火剤の収容容器を設置することから設置スペースを確保する必要があり、既存の建物のなかには幅が狭い階段や踊り場が無い階段があり、これらの階段に消火剤の収容容器を設置することは難しく、通行や避難の際に障害となる可能性もある。
【０００８】
一方、小規模建築物においては、階段が唯一の避難経路である場合が多く、該避難経路が火災による煙や火炎によって通行不能となると、建物内にいる人々の避難が困難となることから避難経路の安全を確保することが必要となる。
【０００９】
そこで本発明では、上記問題にかんがみ、低コストで設置可能であり、通行の障害とならない消火設備を提供すると共に、建物内で火災が発生した際に階段室への延焼を防止可能な消火設備を提供することを目的としている。
【課題を解決するための手段】
【００１０】
上記の目的を達成するために、請求項１記載の発明は、階段室に設置される消火設備であり、垂直方向に設置された給水管と、該給水管より分岐され階段室内に消火水を散布する側壁型ヘッドから構成される消火設備である。
【００１１】
請求項２記載の発明は、前記給水管への給水源は、水槽および送水装置、水道設備、給水管へ続く送水口、建物上部に設けられた高架水槽のいずれかまたはこれら給水源を複数組み合わせたものである請求項１記載の消火設備。である。
【００１２】
請求項３記載の発明は、前記給水管は、螺旋状に構成された階段室の内側の壁面に設置されている請求項１記載の消火設備である。
【００１３】
請求項４記載の発明は、前記側壁型ヘッドは、後方への消火水の散布も可能である請求項１記載の消火設備である。
【００１４】
請求項５記載の発明は、前記消火設備において、階段室内には側壁型ヘッドが設置されており、側壁型ヘッドは火災検出手段の作動により消火水の散布が開始される請求項１記載の消火設備である。
【００１５】
請求項６記載の発明は、前記消火設備において、階段室内には複数の側壁型ヘッドが設置されており、一つの側壁型ヘッドは火災検出手段を含んで構成され、該火災検出手段の作動によって消火水の散布が開始されると共に、他の側壁型ヘッドからの散布も開始される請求項１記載の消火設備である。
【００１６】
請求項７記載の発明は、前記消火設備において、建物内に設置された火災検出手段の作動によって、階段室内に消火水を噴霧状に散布する噴霧散布手段が設けてある請求項１記載の消火設備である。
【００１７】
請求項８記載の発明は、噴霧散布手段とは、前記給水管に並設された噴霧用給水管と、噴霧用給水管に接続され階段室内に消火水を噴霧状に散布可能なドレンチャーヘッドである請求項７記載の消火設備である。
【発明の効果】
【００１８】
請求項１記載の発明によれば、給水管を垂直方向に設置したこと、また該給水管に側壁型ヘッドを設置することにより、給水管から水平に配管を分岐させるだけで側壁型ヘッドが設置可能となり、配管の設置にかかる費用が低減されるものである。
【００１９】
請求項２記載の発明によれば、スプリンクラー設備に一般的に用いられている水槽および送水装置の他に、給水管への給水源を既設の水道設備を利用したり、火災時に消防隊が前記給水管に消火水を供給可能な送水口を設けたり、あるいは建物の上部に設けた高架水槽に収容されている消火水を利用することで、ポンプ等の高価な給水設備を設置しなくても給水管に消火水を供給可能としたものである。これらの給水源は併設することも可能である。
【００２０】
請求項３記載の発明によれば、螺旋状に構成された階段室の内側の壁面に給水管を設置することで給水管の設置スペースが最小に抑えられ、また給水管が通行の障害となることがない。
【００２１】
請求項４記載の発明によれば、側壁型ヘッドは前方だけでなく後方へ消火水を散布することで、階段室の踊り場に向けて設置された側壁型ヘッドから、前方の踊り場だけでなく、後方に位置する階段部分にも消火水の散布が可能となる。
【００２２】
請求項５、６記載の発明によれば、側壁型ヘッドの設置位置と、火災検出手段の設置位置とを別々としたことで各々が最適な位置に設置され、火災検出手段は火災の早期検出、側壁型ヘッドは階段室内に偏りのない均一な消火液の散布が可能となる。
【００２３】
請求項７記載の発明によれば、建物内に火災が発生した際に、階段室内に消火水を噴霧状に散布することで、階段室を伝って火煙が上層階に侵入することを防ぐことが可能となり、また、避難経路を確保することが可能となる。
【００２４】
請求項８記載の発明によれば、前記給水管とは別に設置した噴霧用給水管を設けたことで、階段室内の火災検出手段の作動に関わらず、噴霧用給水管と接続されたドレンチャーヘッドによって噴霧を発生させることが可能となる。
【発明を実施するための最良の形態】
【００２５】
本発明における側壁型ヘッドとは、水平方向前方に矩形状に消火水を散布するスプリンクラーヘッドである。また前方だけでなく後方へ消火水を散布できる構造のものも含める。
【００２６】
また、側壁型ヘッドへの給水手段としては、水槽の水をポンプによって汲み上げて給水を行なうか、あるいは水道設備と接続することや、高架水槽を設けて落差により給水を行なうことも可能である。
【実施例１】
【００２７】
以下、この発明の実施例１を図１から図５を参照して説明する。図１は階段室の側面図、図２は実施例１の消火設備の系統図、図３は図１における階段室の平面図、図４は図３における散水状態（平面）、図５は図１における散水状態（側面）を表す。
【００２８】
図１および図３に示す階段室１は、階段が踊り場２によって折り返され、螺旋状に構成されている。図１において説明しやすいように手前側の階段３を白、奥側の階段４を網かけで表す。
【００２９】
側壁型ヘッド５は、階段室１の内側の壁面６に埋め込まれた状態で設置されている。側壁型ヘッド５は開放型であり、ノズルは開放状態にある。
【００３０】
側壁型ヘッド５の構造の一例として、特開平１１−１６４９０４号に記載されたものや、特開２００３−２３６０１１号に記載されたものがある。
【００３１】
給水管７は階段室１の内側の壁面６内に設置されており、ポンプＰによって水槽Ｗから汲み上げられた水を側壁型ヘッド５へ送ることが可能となっている。側壁型ヘッド５は給水弁８を介して給水管７と接続されている。
【００３２】
給水弁８は常時は閉止状態にあり、階段室１の踊り場２の天井に設けられた火災感知器９の作動信号によって開放される。給水弁８の二次側は分岐されており、複数の側壁型ヘッド５が接続されている。
【００３３】
給水管７の途中には、外部からの給水ができるように送水口１０が接続されている。
【００３４】
図４は、本発明の消火設備において、側壁型ヘッド５の設置位置と散水形状を表した図である。同図（ａ）は、側壁型ヘッド５を踊り場２に向けて１個設置したものであり、踊り場２の全域と、階段部分３、４の一部に水を散布することが可能である。
【００３５】
同図（ｂ）では、側壁型ヘッド５を階段室１の壁面６の両側に各１個ずつ設置したものであり、階段部分３、４および踊り場２の殆どに水を散布可能である。同図（ｃ）は、側壁型ヘッド５を壁面６の両側および踊り場２に向けて各１個づつ、計３個設置したものであり、踊り場２および階段部分３、４の全域に水を散布することが可能である。
【００３６】
側壁型ヘッド５の設置位置・個数については、現場の状況や建物の構造を考慮して選択することが望ましい。
【００３７】
続いて、本発明の消火設備の作動について説明する。
【００３８】
階段室１内で火災が発生すると、踊り場２の天井に設置された火災感知器９が作動し、火災信号を出力する。火災信号が出力された階段室１の給水弁８が開放されると共に、ポンプＰが起動され、火災が発生した階段室１に設置されている側壁型ヘッド５に給水が開始される。
【００３９】
ポンプＰの起動によって水源Ｗに貯蔵されていた水が給水管７に汲み上げられ、開放された給水弁８を通過して側壁型ヘッド５から水が散布され、火災が抑制される。
【実施例２】
【００４０】
次に実施例２について図６、７を参照して説明する。図６は実施例２の消火設備の系統図、図７は実施例２の乾式アダプターの断面図である。
【００４１】
実施例２の消火設備は、図６に示すように火災の検出を感知ヘッド１１により行い、一斉開放弁１２を開放するシステムである。給水管７から分岐した配管の途中に一斉開放弁１２が設置され、一斉開放弁１２の二次側に側壁型ヘッド５が接続されている。
【００４２】
一斉開放弁１２とはリフト弁構造であり、流通路と弁体背面の空間はダイアフラム等で分離されており弁体背面の空間に充填された流体によって弁体が閉止されている。弁体背面の空間は感知配管１３と接続されており、感知配管１３の末端には熱を感知して作動する感知ヘッド１１やスプリンクラーヘッドが設置されているものである。
【００４３】
火災の発生によって感知ヘッド１１が作動すると、感知配管１３内および弁体背面の空間に充填されていた流体が流出して一斉開放弁１２の弁体が開放され、給水管７に接続している一次側から二次側へ送水がなされて、側壁型ヘッド５から水の散布が開始される。
【００４４】
上記の感知ヘッド１１と一斉開放弁１２の換わりに、乾式アダプター等を用いることも可能である。例えば、特開平４−１５０８７３号の乾式アダプターにおいて、図７に示すように給水を遮断する弁体Ｖと、作動によって弁体Ｖを開放させるスプリンクラーヘッドＳとの流通路Ｐの途中に分岐部Ｐ１を設け、該分岐部Ｐ１に側壁型ヘッド５を設けてもよい。
【００４５】
あるいは特開２００２−１５９５８４号に記載された配管接続継手を使用することも可能である。
【００４６】
図７に示す乾式アダプターを用いると、弁体Ｖが開放された際にスプリンクラーヘッドＳからも水が散布される。特開２００２−１５９５８４号に記載された配管接続継手では、弁体が開放された場合、弁体を閉止状態に保持していたスプリンクラーヘッドからは水が流出しないという構造の違いがある。
【００４７】
いずれの構造の場合においても、弁体を閉止状態に保持しているスプリンクラーヘッドが火災の熱によって作動することにより側壁型ヘッド５から散水が開始されるものである。
【実施例３】
【００４８】
続いて実施例３について図８、９を参照して説明する。図８は実施例３の消火設備の系統図、図９は実施例３における階段室の平面図である。
【００４９】
実施例３の消火設備は、階段室以外で火災が発生した場合において、階段室へ水を噴霧状に散布することで避難経路の確保および火煙が上層階に侵入することを防ぐものである。
【００５０】
図８において、噴霧発生手段として側壁型ヘッド５が接続された給水管７とは別に、配管１５を並設しておき、該配管１５の末端には階段室１内に水噴霧を散布可能なドレンチャーヘッド１７が接続されている。
【００５１】
給水管７および配管１５には各々、電動弁１６Ａ、１６Ｂを設けて流通路を切替えることができるようになっている。尚、図８において、給水管７より二次側は図面の見易さを考慮して破線で描かれている。
【００５２】
図９は、ドレンチャーヘッド１７、１７、・・・が設置された階段室１の平面図である。同図において、図面の見易さを考慮して給水管７および給水弁８、側壁型ヘッド５は図示していない。ドレンチャーヘッド１７も側壁型ヘッド５と同様に壁面６に設置され、水平方向に噴霧状の水を散布することができる。
【００５３】
続いて実施例３の作動について説明する。図８に示す消火設備において、平時は給水管７に設置された電動弁１６Ａは開放状態にあり、ドレンチャーヘッド１７が接続された配管１５に設置された電動弁１６Ｂは閉止状態にあり、給水管７への通水が可能となっている。
【００５４】
建物内の階段室以外で火災が発生し、図示しない火災感知器が作動した場合には、電動弁１６Ａ、１６Ｂを操作して給水管７からドレンチャーヘッドが接続された配管１５に流通路が切り替えられる。
【００５５】
同時にポンプＰが起動し、配管１５を通って水源Ｗの水がドレンチャーヘッド１７に送られ、ドレンチャーヘッド１７から水が噴霧状に散布される。
【００５６】
階段室１に水が噴霧状に散布されることで、建物内の火災の煙や炎が階段室１に侵入することを防ぎ、火災の延焼を防止することおよび建物内に残された人々の避難経路を確保することが可能となる。
【図面の簡単な説明】
【００５７】
【図１】階段室の側面図
【図２】実施例１の消火設備の系統図
【図３】階段室の平面図
【図４】図３における散水状態（平面）
【図５】図１における散水状態（側面）
【図６】実施例２の消火設備の系統図
【図７】実施例２の乾式アダプターの断面図
【図８】実施例３の消火設備の系統図
【図９】実施例３の階段室の平面図
【符号の説明】
【００５８】
１  階段室
２  踊り場
３、４  階段
５  側壁型ヘッド
６  壁面
７  給水管
８  給水弁
９  火災感知器
１０  送水口
１１  感知ヘッド
１２  一斉開放弁
１３  感知配管
１６Ａ、１６Ｂ  電動弁
１７  ドレンチャーヘッド
【図１】
2006280854.tif 000003
【図２】
2006280854.tif 000004
【図３】
2006280854.tif 000005
【図４】
2006280854.tif 000006
【図５】
2006280854.tif 000007
【図６】
2006280854.tif 000008
【図７】
2006280854.tif 000009
【図８】
2006280854.tif 000010
【図９】
2006280854.tif 000011